(57)【要約】      （修正有）【課題】  再生装置用アダプタに接続される再生装置や外部機器の状況に応じて、出力部から出力する情報を自動で切り換え可能な再生装置用アダプタを提供する。【解決手段】  再生装置と接続し、再生装置から音声情報と画像情報との少なくとも一方を含む第１の情報を入力する接続部と、第１の外部機器と接続し、第１の外部機器から音声情報と画像情報との少なくとも一方を含む第２の情報を入力する入力部と、音声と画像との少なくとも一方を入力する機能を備えた第２の外部機器と接続し、音声情報と画像情報との少なくとも一方を第２の外部機器に出力する出力部と、第１の情報と第２の情報との何れを出力部を介して第２の外部機器に出力するかを判定する判定部と、前記判定部による判定結果にしたがって、第１の情報を出力部を介して第２の外部機器に出力するか、第２の情報を出力部を介して第２の外部機器に出力するかを切り換える切換部とを備える。【選択図】      図１
2006180406.tif 000002
【特許請求の範囲】
【請求項１】
音声と画像との少なくとも一方を再生する再生部を備えた再生装置と接続し、前記再生装置から音声情報と画像情報との少なくとも一方を含む第１の情報を入力する接続部と、
音声と画像との少なくとも一方を出力する機能を備えた第１の外部機器と接続し、前記第１の外部機器から音声情報と画像情報との少なくとも一方を含む第２の情報を入力する入力部と、
音声と画像との少なくとも一方を入力する機能を備えた第２の外部機器と接続し、音声情報と画像情報との少なくとも一方を前記第２の外部機器に出力する出力部と、
前記第１の情報と前記第２の情報との何れを前記出力部を介して前記第２の外部機器に出力するかを判定する判定部と、
前記判定部による判定結果にしたがって、前記第１の情報を前記出力部を介して前記第２の外部機器に出力するか、前記第２の情報を前記出力部を介して前記第２の外部機器に出力するかを切り換える切換部と
を備えたことを特徴とする再生装置用アダプタ。
【請求項２】
請求項１に記載の再生装置用アダプタにおいて、
前記判定部は、前記入力部に前記第１の外部機器が接続しているか否か、または、前記入力部を介して前記第１の外部機器から前記第２の情報が入力されているか否かを判別し、前記入力部に前記第１の外部機器が接続していないと判別した場合、または、前記入力部を介して前記第１の外部機器から前記第２の情報が入力されていないと判別した場合、前記第１の情報を前記出力部を介して前記第２の外部機器に出力すると判定する
ことを特徴とする再生装置用アダプタ。
【請求項３】
請求項１に記載の再生装置用アダプタにおいて、
前記判定部は、前記接続部に前記再生装置が接続しているか否か、または、前記接続部を介して前記再生装置から前記第１の情報が入力されているか否かを判別し、前記接続部に前記再生装置が接続していないと判別した場合、または、前記接続部を介して前記再生装置から前記第１の情報が入力されていないと判別した場合、前記第２の情報を前記出力部を介して前記第２の外部機器に出力すると判定する
ことを特徴とする再生装置用アダプタ。
【請求項４】
請求項１に記載の再生装置用アダプタにおいて、
前記判定部は、前記接続部を介して前記再生装置から前記第１の情報とは異なる情報が入力されているか否かを判別し、前記接続部を介して前記再生装置から前記第１の情報とは異なる情報が入力されていないと判別した場合、前記第２の情報を前記出力部を介して前記第２の外部機器に出力すると判定する
ことを特徴とする再生装置用アダプタ。
【請求項５】
請求項１に記載の再生装置用アダプタにおいて、
前記判定部は、前記接続部を介して前記再生装置から前記第１の情報とは異なる情報が入力されているか否かを判別し、前記接続部を介して前記再生装置から前記第１の情報とは異なる情報が入力されていると判別した場合、前記第１の情報とは異なる情報に基づいて、前記第１の情報と前記第２の情報との何れを前記出力部を介して前記第２の外部機器に出力するかを判定する
ことを特徴とする再生装置用アダプタ。
【請求項６】
請求項１に記載の再生装置用アダプタにおいて、
前記再生装置は、ユーザ操作を受け付ける受付部を備え、
前記判定部は、前記受付部により受け付けた前記ユーザ操作を示す信号を取得し、取得した前記ユーザ操作を示す信号にしたがって、前記第１の情報と前記第２の情報との何れを前記出力部を介して前記第２の外部機器に出力するかを判定する
ことを特徴とする再生装置用アダプタ。
【請求項７】
請求項１から請求項６の何れか１項に記載の再生装置用アダプタにおいて、
前記判定部は、前記入力部を介して前記第１の外部機器から前記第２の情報が入力されているか否かを判別し、
前記接続部は、前記第２の情報を前記再生装置に出力する機能を持ち、前記判定部により前記入力部を介して前記第１の外部機器から前記第２の情報が入力されていると判別した場合、前記切換部による切換状況にかかわらず、前記第２の情報を前記再生装置に出力する
ことを特徴とする再生装置用アダプタ。
【請求項８】
請求項１から請求項６の何れか１項に記載の再生装置用アダプタにおいて、
前記判定部は、前記第１の情報と前記第２の情報との何れかが前記出力部を介して前記第２の外部機器に出力されいているか否かを判別し、
前記接続部は、前記第２の情報を前記再生装置に出力する機能を持ち、前記判定部により前記出力部を介して前記第２の外部機器に前記第１の情報と前記第２の情報との何れも出力されていないと判別した場合、前記第２の情報を前記再生装置に出力する
ことを特徴とする再生装置用アダプタ。
【請求項９】
音声と画像との少なくとも一方を再生する再生部を備えた再生装置と、
請求項１から請求項８の何れか１項に記載の再生装置用アダプタとからなる再生装置システム。
【発明の詳細な説明】
【技術分野】
【０００１】
本発明は、音声や画像などを再生する再生装置と接続し、再生装置から音声情報や画像情報などを入力する再生装置用アダプタ、再生装置と再生装置用アダプタとからなる再生装置システムに関する。
【背景技術】
【０００２】
従来より、音声や画像などを再生する携帯用再生装置では、ＣＤプレーヤーやビデオなどの外部機器から情報を入力したり、オーディオアンプやテレビなどの外部機器へ情報を出力するターミナルとして、クレードルなどの再生装置用アダプタが用いられている。このような再生装置用アダプタには、入出力兼用の１つの端子を備えているものと、入力専用および出力専用の２つの端子を備えているものとがある（例えば、松下電器産業株式会社製ＳＤマルチカメラ「ＳＶ−ＡＶ３５」（http://panasonic.jp/d-snap/av35/index.html）など）。
【発明の開示】
【発明が解決しようとする課題】
【０００３】
上述した入出力兼用の１つの端子を備えている再生装置用アダプタでは、情報の入力を行う場合と出力を行う場合とで、接続をやり直す必要があり、手間がかかる。また、上述した入力専用および出力専用の２つの端子を備えている再生装置用アダプタでは、出力専用端子から出力する情報を選択するためのスイッチおよびスイッチに対するユーザ操作が必要である。
【０００４】
本発明は、再生装置用アダプタに接続される再生装置や外部機器の状況に応じて、出力部から出力する情報を自動で切り換え可能な再生装置用アダプタ、再生装置と再生装置用アダプタとからなる再生装置システムを提供することを目的とする。
【課題を解決するための手段】
【０００５】
請求項１に記載の再生装置用アダプタは、音声と画像との少なくとも一方を再生する再生部を備えた再生装置と接続し、前記再生装置から音声情報と画像情報との少なくとも一方を含む第１の情報を入力する接続部と、音声と画像との少なくとも一方を出力する機能を備えた第１の外部機器と接続し、前記第１の外部機器から音声情報と画像情報との少なくとも一方を含む第２の情報を入力する入力部と、音声と画像との少なくとも一方を入力する機能を備えた第２の外部機器と接続し、音声情報と画像情報との少なくとも一方を前記第２の外部機器に出力する出力部と、前記第１の情報と前記第２の情報との何れを前記出力部を介して前記第２の外部機器に出力するかを判定する判定部と、前記判定部による判定結果にしたがって、前記第１の情報を前記出力部を介して前記第２の外部機器に出力するか、前記第２の情報を前記出力部を介して前記第２の外部機器に出力するかを切り換える切換部とを備えたことを特徴とする。
【０００６】
請求項２に記載の再生装置用アダプタは、請求項１に記載の再生装置用アダプタにおいて、前記判定部は、前記入力部に前記第１の外部機器が接続しているか否か、または、前記入力部を介して前記第１の外部機器から前記第２の情報が入力されているか否かを判別し、前記入力部に前記第１の外部機器が接続していないと判別した場合、または、前記入力部を介して前記第１の外部機器から前記第２の情報が入力されていないと判別した場合、前記第１の情報を前記出力部を介して前記第２の外部機器に出力すると判定することを特徴とする。
【０００７】
請求項３に記載の再生装置用アダプタは、請求項１に記載の再生装置用アダプタにおいて、前記判定部は、前記接続部に前記再生装置が接続しているか否か、または、前記接続部を介して前記再生装置から前記第１の情報が入力されているか否かを判別し、前記接続部に前記再生装置が接続していないと判別した場合、または、前記接続部を介して前記再生装置から前記第１の情報が入力されていないと判別した場合、前記第２の情報を前記出力部を介して前記第２の外部機器に出力すると判定することを特徴とする。
【０００８】
請求項４に記載の再生装置用アダプタは、請求項１に記載の再生装置用アダプタにおいて、前記判定部は、前記接続部を介して前記再生装置から前記第１の情報とは異なる情報が入力されているか否かを判別し、前記接続部を介して前記再生装置から前記第１の情報とは異なる情報が入力されていないと判別した場合、前記第２の情報を前記出力部を介して前記第２の外部機器に出力すると判定することを特徴とする。
【０００９】
請求項５に記載の再生装置用アダプタは、請求項１に記載の再生装置用アダプタにおいて、前記判定部は、前記接続部を介して前記再生装置から前記第１の情報とは異なる情報が入力されているか否かを判別し、前記接続部を介して前記再生装置から前記第１の情報とは異なる情報が入力されていると判別した場合、前記第１の情報とは異なる情報に基づいて、前記第１の情報と前記第２の情報との何れを前記出力部を介して前記第２の外部機器に出力するかを判定することを特徴とする。
【００１０】
請求項６に記載の再生装置用アダプタは、請求項１に記載の再生装置用アダプタにおいて、前記再生装置は、ユーザ操作を受け付ける受付部を備え、前記判定部は、前記受付部により受け付けた前記ユーザ操作を示す信号を取得し、取得した前記ユーザ操作を示す信号にしたがって、前記第１の情報と前記第２の情報との何れを前記出力部を介して前記第２の外部機器に出力するかを判定することを特徴とする。
【００１１】
請求項７に記載の再生装置用アダプタは、請求項１から請求項６の何れか１項に記載の再生装置用アダプタにおいて、前記判定部は、前記入力部を介して前記第１の外部機器から前記第２の情報が入力されているか否かを判別し、前記接続部は、前記第２の情報を前記再生装置に出力する機能を持ち、前記判定部により前記入力部を介して前記第１の外部機器から前記第２の情報が入力されていると判別した場合、前記切換部による切換状況にかかわらず、前記第２の情報を前記再生装置に出力することを特徴とする。
【００１２】
請求項８に記載の再生装置用アダプタは、請求項１から請求項６の何れか１項に記載の再生装置用アダプタにおいて、前記判定部は、前記第１の情報と前記第２の情報との何れかが前記出力部を介して前記第２の外部機器に出力されいているか否かを判別し、前記接続部は、前記第２の情報を前記再生装置に出力する機能を持ち、前記判定部により前記出力部を介して前記第２の外部機器に前記第１の情報と前記第２の情報との何れも出力されていないと判別した場合、前記第２の情報を前記再生装置に出力することを特徴とする。
【００１３】
請求項９に記載の再生装置システムは、音声と画像との少なくとも一方を再生する再生部を備えた再生装置と、請求項１から請求項８の何れか１項に記載の再生装置用アダプタとからなることを特徴とする。
【発明の効果】
【００１４】
本発明によれば、再生装置用アダプタに接続される再生装置や外部機器の状況に応じて、出力部から出力する情報を自動で切り換え可能な再生装置用アダプタ、再生装置と再生装置用アダプタとからなる再生装置システムを提供することができる。
【発明を実施するための最良の形態】
【００１５】
以下、図面を用いて本発明の実施形態について説明する。なお、本実施形態では音声と画像とを再生および記録する機能を備えた再生装置およびその再生装置用アダプタを例に挙げて説明を行う。
図１は、本発明の実施形態における再生装置および再生装置用アダプタの構成を示すブロック図である。
【００１６】
本実施形態の再生装置１０は、図１に示すように、スピーカ１１、表示部１２、記録部１３、後述するアダプタと接続するための接続部１４、制御部１５および操作部１６を備え、記録部１３および接続部１４は制御部１５と相互に接続される。また、制御部１５の出力は、スピーカ１１および表示部１２に接続される。また、操作部１６は、再生ボタンなどを含み、操作部１６に含まれるボタン等の状態を示す信号は制御部１５に入力される。また、制御部１５には、再生装置１０における処理を実現するためのプログラムが予め記録されており、制御部１５は、これらのプログラムを実行することにより音声および画像の再生および記録などを行う。
【００１７】
以上説明した構成の再生装置１０において、不図示の電源ボタンが「ＯＮ」されると、制御部１５はこれを検知し、動作を開始する。
そして、音声の再生が指示されると、制御部１５は、スピーカ１１を介して音声の再生を行う。また、画像の再生が指示されると、制御部１５は、表示部１２を介して画像の再生を行う。また、音声や画像の記録が指示されると、接続部１４から音声情報や画像情報を取得し、記録部１３に記録する。
【００１８】
アダプタ２０は、図１に示すように、制御部２１、再生装置１０と接続するための接続部２２、外部機器Ａと接続して音声情報や画像情報などを入力する入力部２３、外部機器Ｂと接続して音声情報や画像情報などを出力する出力部２４、出力部２４に出力する情報を切り換える切換部２５を備え、制御部２１、接続部２２、切換部２５は、それぞれ相互に接続される。また、入力部２３の出力は、切換部２５に接続され、切換部２５の出力は、出力部２４に接続される。また、入力部２３は、外部機器Ａの出力端子と接続可能な入力端子を備え、出力部２４は、外部機器Ｂの入力端子と接続可能な出力端子を備える。
【００１９】
ここで、外部機器Ａとは、ＤＶＤプレーヤー、ＣＤプレーヤー、コンピュータなど、音声と画像との少なくとも一方を出力する機能を備えた外部機器であり、再生装置１０およびアダプタ２０への音声情報や画像情報の入力を目的とする外部機器である。一方、外部機器Ｂとは、アンプ、プロジェクタ、スピーカなど、音声と画像との少なくとも一方を入力する機能を備えた外部機器であり、再生装置１０およびアダプタ２０からの音声情報や画像情報の出力を目的とする外部機器である。
【００２０】
また、接続部２２は、前述した再生装置１０の接続部１４と相互に接続可能であり、再生装置１０とアダプタ２０とが機械的に接続されると、再生装置１０の接続部１４とアダプタ２０の接続部２２とが電気的に接続される。また、切換部２５は、内部に不図示の切換回路などを有し、制御部２１の指示にしたがって、接続部２２の出力を出力部２４に接続するか、入力部２３の出力を出力部２４接続するかを切り換え可能である。
【００２１】
なお、制御部２１には、アダプタ２０における処理を実現するためのプログラムが予め記録されており、制御部２１は、これらのプログラムを実行することにより再生装置１０との間の情報の入出力、外部機器Ａからの情報の入力、外部機器Ｂへの情報の出力などを行う。
また、アダプタ２０は、外部に設けられる不図示の電源と接続され、再生装置１０の動作のための電源供給や再生装置１０の充電のための電源供給を行う。
【００２２】
なお、再生装置１０のスピーカ１１、表示部１２、制御部１５は、請求項の「再生部」に対応し、制御部１５、操作部１６は、請求項の「受付部」に対応する。また、アダプタ２０の接続部２２は、請求項の「接続部」に対応する。また、外部機器Ａは、請求項の「第１の外部機器」に対応し、外部機器Ｂは、請求項の「第２の外部機器」に対応する。また、入力部２３は、請求項の「入力部」に対応し、出力部２４は、請求項の「出力部」に対応する。また、制御部２１は、請求項の「判定部」に対応し、制御部２１、切換部２５は、請求項の「切換部」に対応する。さらに、再生装置１０からアダプタ２０に入力される情報（音声情報と画像情報との少なくとも一方を含む情報）は、請求項の「第１の情報」に対応し、外部機器Ａからアダプタ２０に入力される情報（音声情報と画像情報との少なくとも一方を含む情報）は、請求項の「第２の情報」に対応する。
【００２３】
以下、本発明の特徴である、アダプタ２０の出力部２４から出力する情報の切り換えについて説明する。
（１）外部機器Ａを優先する方法
制御部２１は、切換部２５を介して、入力部２３に外部機器Ａが接続しているか否かを判別する。そして、入力部２３に外部機器Ａが接続していない場合には、制御部２１は、切換部２５を制御し、接続部１４および接続部２２を介して再生装置１０から入力される情報を、出力部２４を介して外部機器Ｂに出力するようにする。
【００２４】
一方、入力部２３に外部機器Ａが接続している場合には、制御部２１は、切換部２５および入力部２３を介して、外部機器Ａから情報が入力されているか否かを判別する。そして、外部機器Ａから情報が入力されていない場合、前述した入力部２３に外部機器Ａが接続していない場合と同様に、切換部２５を制御し、再生装置１０から入力される情報を、出力部２４を介して外部機器Ｂに出力するようにする。
【００２５】
一方、外部機器Ａから情報が入力されている場合、制御部２１は、切換部２５を制御し、入力部２３から入力される情報を、出力部２４を介して外部機器Ｂに出力するようにする。
（２）再生装置１０を優先する方法
制御部２１は、接続部２２に再生装置１０の接続部１４が接続しているか否かを判別する。なお、接続の判別は、再生装置１０とアダプタ２０とが機械的に接続されているか否かを判別するようにしても良いし、再生装置１０の接続部１４とアダプタ２０の接続部２２とが電気的に接続されているか否かを判別するようにしても良い。そして、接続部２２に再生装置１０の接続部１４が接続していない場合には、制御部２１は、切換部２５を制御し、入力部２３から入力される情報を、出力部２４を介して外部機器Ｂに出力するようにする。
【００２６】
一方、接続部２２に再生装置１０の接続部１４が接続している場合には、制御部２１は、接続部２２および接続部１４を介して、再生装置１０から情報が入力されているか否かを判別する。そして、再生装置１０から情報が入力されていない場合、前述した接続部２２に再生装置１０の接続部１４が接続していない場合と同様に、切換部２５を制御し、入力部２３から入力される情報を、出力部２４を介して外部機器Ｂに出力するようにする。
【００２７】
一方、再生装置１０から情報が入力されている場合、制御部２１は、切換部２５を制御し、接続部１４および接続部２２を介して再生装置１０から入力される情報を、出力部２４を介して外部機器Ｂに出力するようにする。
なお、接続部２２に再生装置１０の接続部１４が接続している場合には、接続部２２および接続部１４を介して、制御部１５から、操作部１６に含まれるボタン等の状態を示す信号を取得し、取得した信号にしたがって、外部機器Ｂから出力する情報を切り換えるようにしても良い。例えば、操作部１６の不図示の再生ボタンが押圧されたことを示す信号を取得した場合には、再生装置１０から入力される情報を、出力部２４を介して外部機器Ｂに出力するようにする。また、例えば、操作部１６の不図示の電源ボタンにより再生装置１０の電源がＯＦＦされたことを示す信号を取得した場合には、入力部２３から入力される情報を、出力部２４を介して外部機器Ｂに出力するようにする。
【００２８】
このような制御を行うことにより、再生装置１０の操作状況に応じて、出力部２４から出力する情報を自動的に切り換えることができる。また、再生装置１０およびアダプタ２０に特別な操作部材を設けなくても、既存の操作部材を兼用して、出力部２４から出力する情報を選択することができる。
なお、（１）で説明した外部機器Ａを優先する方法と（２）で説明した再生装置１０を優先する方法との何れを行うかは、ユーザにより予め定めるようにすると良い。また、何れの方法においても、接続の判別と情報の入力の判別とを行う例を示したが、どちらか一方のみを行うことにより判別を簡略化するようにしても良い。
【００２９】
以上説明したように、本実施形態によれば、音声と画像との少なくとも一方を再生する再生部を備えた再生装置と接続し、再生装置から音声情報と画像情報との少なくとも一方を入力する接続部と、音声と画像との少なくとも一方を出力する機能を備えた外部機器Ａと接続し、外部機器Ａから音声情報と画像情報との少なくとも一方を入力する入力部と、音声と画像との少なくとも一方を入力する機能を備えた外部機器Ｂと接続し、外部機器Ｂに音声情報と画像情報との少なくとも一方を出力する出力部とを備える。そして、再生装置から入力される情報と外部機器Ａから入力される情報との何れを出力部を介して外部機器Ｂに出力するかを判定し、判定結果にしたがって、再生装置から入力される情報を外部機器Ｂに出力するか、外部機器Ａから入力される情報を外部機器Ｂに出力するかを切り換える。したがって、アダプタに接続される再生装置や外部機器の状況に応じて、出力部から出力する情報を切り換えることができる。
【００３０】
また、本実施形態によれば、入力部に外部機器Ａが接続しているか否か、または、入力部を介して外部機器Ａから情報が入力されているか否かを判別し、入力部に外部機器Ａが接続していない場合、または、入力部を介して外部機器Ａから情報が入力されていない場合、再生装置から入力される情報を、外部機器Ｂに出力すると判定する。したがって、アダプタに接続される外部機器の状況に応じて、出力部から出力する情報を自動的に切り換えることができる。
【００３１】
また、本実施形態によれば、接続部に再生装置が接続しているか否か、または、接続部を介して再生装置から情報が入力されているか否かを判別し、接続部に再生装置が接続していない場合、または、接続部を介して再生装置から情報が入力されていない場合、外部機器Ａから入力される情報を、出力部を介して外部機器Ｂに出力すると判定する。したがって、アダプタに接続される再生装置の状況に応じて、出力部から出力する情報を自動的に切り換えることができる。
【００３２】
また、本実施形態によれば、再生装置により受け付けられたユーザ操作にしたがって、再生装置から入力される情報と外部機器Ａから入力される情報との何れを出力部を介して外部機器Ｂに出力するかを判定する。したがって、アダプタに接続される再生装置の操作状況に応じて、出力部から出力する情報を自動的に切り換えることができる。このとき、再生装置とアダプタとの間に専用の制御信号（請求項の「第１の情報とは異なる情報」に対応する）を設けるようにしても良い。そして、制御信号が入力されていない場合、外部機器Ａから入力される情報を、出力部を介して外部機器Ｂに出力すると判定しても良いし、制御信号が入力されている場合、制御信号に基づいて、再生装置から入力される情報と外部機器Ａから入力される情報との何れを出力部を介して外部機器Ｂに出力するかを判定するようにしても良い。
【００３３】
なお、本実施形態では、音声および画像を再生および記録する機能を備えた再生装置１０を例に挙げて説明を行ったが、再生装置の構成はこの例に限定されない。音声と画像との少なくとも一方を再生する機能を備えていれば、ヘッドマウントディスプレイや、ハードディスク内蔵型オーディオプレーヤーなどどのようなものであっても良い。
また、本実施形態では、切換部２５により、外部機器Ｂに、再生装置１０から入力される情報を出力するか、外部機器Ａから入力される情報を出力するかを切り換える技術について説明したが、再生装置１０の記録部１３に情報を記録する場合も同様に考えることができる。すなわち、アダプタ２０に接続される再生装置１０および外部機器Ｂの状況（接続の有無、再生装置１０の操作状況など）に応じて、入力部２３から入力する情報を、再生装置１０に出力するか、外部機器Ｂに出力するかを自動的に切り換えるようにしても良い。
【００３４】
例えば、入力部２３を介して外部機器Ａから情報が入力されている場合、切換部２５による切換状況にかかわらず、外部機器Ａから入力される情報を、接続部２２および接続部１４を介して再生装置１０に出力するようにしても良いし、出力部２４を介して外部機器Ｂに情報が出力されていない場合、外部機器Ａから入力される情報を再生装置１０に出力するようにしても良い。
【００３５】
また、本実施形態では、再生装置１０を着脱可能なクレードル型の再生装置用アダプタ２０を例に挙げて説明を行ったが、ケーブルなどを介して再生装置１０とアダプタ２０とを接続する構成であっても良い。
【図面の簡単な説明】
【００３６】
【図１】本実施形態の再生装置および再生装置用アダプタの構成を示すブロック図である。
【符号の説明】
【００３７】
１０  再生装置
１１  スピーカ
１２  表示部
１３  記録部
１４，２２  接続部
１５，２１  制御部
１６  操作部
２０  アダプタ
２３  入力部
２４  出力部
２５  切換部
【図１】
2006180406.tif 000003